(57)【要約】【課題】送信に適した読取条件を選択するための判断材料をユーザに提供し、これに基づいてユーザ自身で読取条件を選択することのできる画像読取装置を提供する。【解決手段】ユーザが指定した読取条件で原稿を読み取り、その画像データのデータサイズの実測値を求める。その後、解像度や画質などの読取条件を種々に変更して原稿を読み取り、各読取条件におけるデータサイズの実測値を求める。あるいは読取条件を変えた場合の推測値を実測値から演算で求める。実測あるいは推測で求めた読取条件毎のデータサイズを表示し、どの読取条件の画像データを電子メールに添付して送信するかの選択操作をユーザから受け付け、選択された画像データを送信する。【選択図】図１
2006054842.tif 000002
【特許請求の範囲】
【請求項１】
原稿を読み取る読取手段と、
前記読取手段での読み取りに基づいて得られた画像データの属性に関与する実測値を検出するとともに、
前記画像データもしくは前記実測値に基づいて、前記原稿を読み取る際の読取条件を変化させた際に得られる画像データの属性に関与する推測値を演算する演算手段と、
前記実測値と前記推測値を表示する表示手段と、
を備えたことを特徴とする画像読取装置。
【請求項２】
原稿を読み取る読取手段と、
前記読取手段での第1の読取条件に基づく読み取りにより得られた画像データの属性に関与する第1の実測値を検出するとともに、
前記読取手段での第1の読取条件とは異なる第２の読取条件に基づく読み取りにより得られた画像データの属性に関与する第２の実測値を検出する演算手段と、
前記第１の実測値及び前記第２の実測値を表示する表示手段と、
を備えたことを特徴とする画像読取装置。
【請求項３】
原稿を読み取る読取手段と、
前記読取手段での読み取りに基づいて得られた画像データの属性に関与する実測値を検出するとともに、
前記読取手段での読み取りに基づいて得られた画像データを出力する際の出力条件に応じてデータの属性に関与する推測値を演算する演算手段と、
前記実測値と前記推測値を表示する表示手段と、
を備えたことを特徴とする画像読取装置。
【請求項４】
前記属性とはデータ容量である
ことを特徴とする請求項１乃至３のいずれかに記載の画像読取装置。
【請求項５】
前記読取条件とは解像度である
ことを特徴とする請求項１乃至４のいずれかに記載の画像読取装置。
【請求項６】
前記読取条件とは圧縮方式である
ことを特徴とする請求項１乃至４のいずれかに記載の画像読取装置。
【請求項７】
前記読取条件とは画質である
ことを特徴とする請求項１乃至４のいずれかに記載の画像読取装置。
【請求項８】
前記出力条件とは外部端末での印刷出力時の出力サイズである
ことを特徴とする請求項３に記載の画像読取装置。
【請求項９】
さらに、前記表示手段での表示の確認後に、前記実測値もしくは前記推測値に対応するデータを選択する選択手段を備えた
ことを特徴とする請求項１乃至８のいずれかに記載の画像読取装置。
【請求項１０】
前記選択手段で選択された推測値が前記読取条件を変化させて演算したものである場合、前記推測値を演算した時の読取条件にて原稿を再読取させる
ことを特徴とする請求項９に記載の画像読取装置。
【請求項１１】
さらに、前記選択手段で選択されたデータもしくは再読取で得られたデータを送信する画像送信手段を備える
ことを特徴とする請求項９乃至１０のいずれかに記載の画像読取装置。
【請求項１２】
前記実測値もしくは前記推測値に応じて、前記画像送信手段によるデータ送信時のネットワーク負荷に関する情報の表示を行なう表示手段を備える
ことを特徴とする請求項１１に記載の画像読取装置。
【請求項１３】
原稿を読み取り、該原稿に対応する画像信号を出力する読取手段と、
前記画像信号を処理する項目に関して第１の処理条件および第２の処理条件の中から所望の１つを選択可能な画像処理条件設定手段と、
前記画像信号を前記第１の処理条件に基づいて処理し、第１の画像データを得るとともに、該第１の画像データに基づいて第１の属性値を演算する演算手段と、
前記第１の属性値を表示する表示手段と
を有することを特徴とする画像読取装置。
【請求項１４】
前記演算手段は、前記画像信号を前記第２の処理条件に基づいて処理し、第２の画像データを得るとともに、前記第２の画像データに基づいて第２の属性値を演算し、
前記表示手段は、前記第２の属性値を表示すること
を特徴とする請求項１３に記載の画像読取装置。
【請求項１５】
前記表示手段に表示される前記第１の属性値および前記第２の属性値に基づいて、所望の画像処理条件を選択する選択手段
を有することを特徴とする請求項１４に記載の画像読取装置。
【請求項１６】
前記選択手段で選択された前記画像処理条件に基づいて画像処理された結果得られた画像データを送信する送信手段
を有することを特徴とする請求項１５に記載の画像読取装置。
【請求項１７】
前記第１の処理条件に基づく処理の後に実行される前記第２の処理条件に基づく処理に際し、前記読取手段が再度原稿を読み取り、該原稿に対応する画像信号を出力すること
を有することを特徴とする請求項１６に記載の画像読取装置。
【請求項１８】
前記演算手段は、前記第１の属性値と前記第２の処理条件に基づいて第２の属性値を演算し、
前記表示手段は、前記第２の属性値を表示すること
を特徴とする請求項１３に記載の画像読取装置。
【請求項１９】
前記演算手段は、前記画像信号と前記第２の処理条件に基づいて第２の属性値を演算し、
前記表示手段は、前記第２の属性値を表示すること
を特徴とする請求項１３に記載の画像読取装置。
【請求項２０】
前記表示手段に表示される前記第１の属性値および前記第２の属性値に基づいて、所望の画像処理条件を選択する選択手段
を有することを特徴とする請求項１８もしくは１９に記載の画像読取装置。
【請求項２１】
前記選択手段で選択された前記画像処理条件に基づいて処理された結果得られた画像データを送信する送信手段
を有することを特徴とする請求項２０に記載の画像読取装置。
【請求項２２】
前記画像読取装置は、前記第１の処理条件に基づいて画像処理された結果得られた前記第１の画像データを送信する送信手段を有しており、
前記表示手段は、前記第１の画像データを前記送信手段にて送信してよいか否かを判断するために前記第１の属性値を表示させること
を特徴とする請求項１３に記載の画像読取装置。
【請求項２３】
前記演算手段は、前記画像信号を前記第１の処理条件に基づいて処理し、第１の画像データを得る画像処理手段と、該第１の画像データに基づいて第１の属性値を演算する属性演算手段とを有すること
を特徴とする請求項１３乃至２２のいずれかに記載の画像読取装置。
【請求項２４】
前記表示手段は、得られた属性値としきい値とを比較し、ネットワーク負荷に関する情報を表示すること
を特徴とする請求項１３乃至２３のいずれかに記載の画像読取装置。
【請求項２５】
前記表示手段は、前記属性値、前記処理条件および前記負荷に関する情報を関連付けて表示すること
を特徴とする請求項２４に記載の画像読取装置。
【請求項２６】
前記画像読み取り装置は操作パネルを有しており、
前記表示手段、および前記選択手段は、前記操作パネルに設けられていること
を特徴とする請求項１３乃至２５のいずれかに記載の画像読取装置。
【請求項２７】
前記処理条件設定手段は、前記操作パネルに設けられていること
を特徴とする請求項２６に記載の画像読取装置。
【請求項２８】
前記画像読み取り装置は外部のコンピュータと電気的に接続されており、
前記表示手段、および前記選択手段は、前記コンピュータに設けられていること
を特徴とする請求項１３乃至２５のいずれかに記載の画像読取装置。
【請求項２９】
前記処理条件設定手段は、前記コンピュータに設けられていること
を特徴とする請求項２８に記載の画像読取装置。
【請求項３０】
前記画像信号を処理する前記項目は、原稿読取条件に関するものであること
を特徴とする請求項１３乃至２９のいずれかに記載の画像読取装置。
【請求項３１】
前記画像信号を処理する前記項目は、解像度であること
を特徴とする請求項３０に記載の画像読取装置。
【請求項３２】
前記画像信号を処理する前記項目は、圧縮方式であること
を特徴とする請求項３０に記載の画像読取装置。
【請求項３３】
前記画像信号を処理する前記項目は、画質であること
を特徴とする請求項３０に記載の画像読取装置。
【請求項３４】
前記画像信号を処理する前記項目は、画像出力条件に関するものであること
を特徴とする請求項１３乃至２９のいずれかに記載の画像読取装置。
【請求項３５】
前記画像信号を処理する前記項目は、用紙サイズであること
を特徴とする請求項３４に記載の画像読取装置。
【請求項３６】
前記属性値は、データサイズに関するものであること
を特徴とする請求項１３乃至２９のいずれかに記載の画像読取装置。
【発明の詳細な説明】
【技術分野】
【０００１】
本発明は、原稿を読み取る画像読取装置に関する。
【背景技術】
【０００２】
原稿を読み取って得た画像データをファイル化し、これを電子メールに添付して送信したり、ネットワークを通じて外部装置に送信したりする機能を備えた画像読取装置がある。このような装置では、送信するデータサイズが膨大となってネットワークに大きな負荷がかからないように種々の対応措置が取られている。
【０００３】
たとえば、データサイズが予め定めた上限サイズを超える場合に、解像度を低下させたり画像サイズを縮小したりすることで自動的にデータサイズを低減するようにした画像読取装置がある（たとえば、特許文献１参照。）。また、データサイズに応じて圧縮方式を自動選択する画像読取装置が提案されている（たとえば、特許文献２参照。）。
【０００４】
【特許文献１】特開２００３−１６０１７号公報
【特許文献２】特開２０００−１０１７９５号公報
【発明の開示】
【発明が解決しようとする課題】
【０００５】
データサイズに応じて解像度や画像サイズ、圧縮方式を自動的に変更するものでは、これらの変更がユーザの意思を確認することなく行なわれるので、ユーザの意図しない画質の画像が送信されてしまうことがある。たとえば、少しぐらいネットワーク負荷が増えても画質を優先したい場合でも、そのようなユーザの意思を反映させることはできなかった。
【０００６】
一方、ユーザには、解像度や圧縮方式を変えた場合にデータサイズやネットワークへの負荷がどのように変化するかが分からないので、最適な読取条件をユーザ自身に選択させることは難しい。
【０００７】
本発明は、上記の問題を解決しようとするものであり、送信に適した読取条件を選択するための判断材料をユーザに提供すること、およびこの判断材料に基づいてユーザ自身で読取条件を選択することのできる画像読取装置を提供することを目的としている。
【課題を解決するための手段】
【０００８】
請求項１に係わる発明は、原稿を読み取る読取手段と、
前記読取手段での読み取りに基づいて得られた画像データの属性に関与する実測値を検出するとともに、
前記画像データもしくは前記実測値に基づいて、前記原稿を読み取る際の読取条件を変化させた際に得られる画像データの属性に関与する推測値を演算する演算手段と、
前記実測値と前記推測値を表示する表示手段と、
を備えたことを特徴とする画像読取装置である。
【０００９】
上記発明によれば、読み取ったデータについて、所定の属性に関与する実測値と、読み取り条件を変えた場合の推測値とが表示される。推測値は１種類でも、読取条件を種々に変えて複数種類求めてもよい。
【００１０】
請求項２に係わる発明は、原稿を読み取る読取手段と、
前記読取手段での第1の読取条件に基づく読み取りにより得られた画像データの属性に関与する第1の実測値を検出するとともに、
前記読取手段での第1の読取条件とは異なる第２の読取条件に基づく読み取りにより得られた画像データの属性に関与する第２の実測値を検出する演算手段と、
前記第１の実測値及び前記第２の実測値を表示する表示手段と、
を備えたことを特徴とする画像読取装置である。
【００１１】
上記発明によれば、同じ原稿を異なる読取条件で複数回読み取り、それぞれの読み取りで得たデータについて、所定の属性の実測値が検出されて表示される。
【００１２】
請求項３に係わる発明は、原稿を読み取る読取手段と、
前記読取手段での読み取りに基づいて得られた画像データの属性に関与する実測値を検出するとともに、
前記読取手段での読み取りに基づいて得られた画像データを出力する際の出力条件に応じてデータの属性に関与する推測値を演算する演算手段と、
前記実測値と前記推測値を表示する表示手段と、
を備えたことを特徴とする画像読取装置である。
【００１３】
上記発明によれば、読み取ったデータについて、所定の属性に関与する実測値と、出力する際の出力条件に応じた推測値とが表示される。出力条件には、たとえば、出力時の記録紙サイズや出力時の解像度がある。
【００１４】
請求項４に係わる発明は、前記属性とはデータ容量である
ことを特徴とする請求項１乃至３のいずれかに記載の画像読取装置である。
【００１５】
上記発明によれば、読み取ったデータのデータ容量（データサイズ）に係わる実測値や推測値が表示される。
【００１６】
請求項５に係わる発明は、前記読取条件とは解像度である
ことを特徴とする請求項１乃至４のいずれかに記載の画像読取装置である。
【００１７】
上記発明によれば、解像度を変えた場合の推測値や実測値が表示される。解像度には、水平解像度と垂直解像度とがある。水平解像度と垂直解像度との組み合わせが予め定めてある場合のほか、水平解像度と垂直解像度とを独立に選択可能な場合も含まれる。
【００１８】
請求項６に係わる発明は、前記読取条件とは圧縮方式である
ことを特徴とする請求項１乃至４のいずれかに記載の画像読取装置である。
【００１９】
上記発明によれば、圧縮率を変えた場合の推測値や実測値が表示される。
【００２０】
請求項７に係わる発明は、前記読取条件とは画質である
ことを特徴とする請求項１乃至４のいずれかに記載の画像読取装置である。
【００２１】
上記発明によれば、画質を変えた場合の推測値や実測値が表示される。
【００２２】
請求項８に係わる発明は、前記出力条件とは外部端末での印刷出力時の出力サイズである
ことを特徴とする請求項３に記載の画像読取装置である。
【００２３】
上記発明によれば、たとえば、出力条件として外部端末での出力サイズを読取装置側で指定できる場合に、出力条件に対応した推測値が表示される。
【００２４】
請求項９に係わる発明は、さらに、前記表示手段での表示の確認後に、前記実測値もしくは前記推測値に対応するデータを選択する選択手段を備えた
ことを特徴とする請求項１乃至８のいずれかに記載の画像読取装置である。
【００２５】
上記発明によれば、表示された複数種類の実測値や推測値を判断材料として、データ（読取条件）が選択される。
【００２６】
請求項１０に係わる発明は、前記選択手段で選択された推測値が前記読取条件を変化させて演算したものである場合、前記推測値を演算した時の読取条件にて原稿を再読取させる
ことを特徴とする請求項９に記載の画像読取装置である。
【００２７】
上記発明によれば、読取条件を変化させて演算した推測値が選択されたときは、その推測値を演算した時の読取条件で原稿が再読取される。
【００２８】
請求項１１に係わる発明は、さらに、前記選択手段で選択されたデータもしくは再読取で得られたデータを送信する画像送信手段を備える
ことを特徴とする請求項９乃至１０のいずれかに記載の画像読取装置である。
【００２９】
たとえば、電子メールの添付ファイルとして転送する。
【００３０】
請求項１２に係わる発明は、前記実測値もしくは前記推測値に応じて、前記画像送信手段によるデータ送信時のネットワーク負荷に関する情報の表示を行なう表示手段を備える
ことを特徴とする請求項１１に記載の画像読取装置である。
【００３１】
上記発明によれば、実測値や推測値のそれぞれについて転送負荷に関する情報が表示される。転送負荷を表わす情報は、案内メッセージのほか記号や絵柄、数値などで表示してもよい。
【００３２】
請求項１３に係わる発明は、原稿を読み取り、該原稿に対応する画像信号を出力する読取手段と、
前記画像信号を処理する項目に関して第１の処理条件および第２の処理条件の中から所望の１つを選択可能な画像処理条件設定手段と、
前記画像信号を前記第１の処理条件に基づいて処理し、第１の画像データを得るとともに、該第１の画像データに基づいて第１の属性値を演算する演算手段と、
前記第１の属性値を表示する表示手段と
を有することを特徴とする画像読取装置である。
【００３３】
請求項１４に係わる発明は、前記演算手段は、前記画像信号を前記第２の処理条件に基づいて処理し、第２の画像データを得るとともに、前記第２の画像データに基づいて第２の属性値を演算し、
前記表示手段は、前記第２の属性値を表示すること
を特徴とする請求項１３に記載の画像読取装置である。
【００３４】
請求項１５に係わる発明は、前記表示手段に表示される前記第１の属性値および前記第２の属性値に基づいて、所望の画像処理条件を選択する選択手段
を有することを特徴とする請求項１４に記載の画像読取装置である。
【００３５】
請求項１６に係わる発明は、前記選択手段で選択された前記画像処理条件に基づいて画像処理された結果得られた画像データを送信する送信手段
を有することを特徴とする請求項１５に記載の画像読取装置である。
【００３６】
請求項１７に係わる発明は、前記第１の処理条件に基づく処理の後に実行される前記第２の処理条件に基づく処理に際し、前記読取手段が再度原稿を読み取り、該原稿に対応する画像信号を出力すること
を有することを特徴とする請求項１６に記載の画像読取装置である。
【００３７】
請求項１８に係わる発明は、前記演算手段は、前記第１の属性値と前記第２の処理条件に基づいて第２の属性値を演算し、
前記表示手段は、前記第２の属性値を表示すること
を特徴とする請求項１３に記載の画像読取装置である。
【００３８】
請求項１９に係わる発明は、前記演算手段は、前記画像信号と前記第２の処理条件に基づいて第２の属性値を演算し、
前記表示手段は、前記第２の属性値を表示すること
を特徴とする請求項１３に記載の画像読取装置である。
【００３９】
請求項２０に係わる発明は、前記表示手段に表示される前記第１の属性値および前記第２の属性値に基づいて、所望の画像処理条件を選択する選択手段
を有することを特徴とする請求項１８もしくは１９に記載の画像読取装置である。
【００４０】
請求項２１に係わる発明は、前記選択手段で選択された前記画像処理条件に基づいて処理された結果得られた画像データを送信する送信手段
を有することを特徴とする請求項２０に記載の画像読取装置である。
【００４１】
請求項２２に係わる発明は、前記画像読取装置は、前記第１の処理条件に基づいて画像処理された結果得られた前記第１の画像データを送信する送信手段を有しており、
前記表示手段は、前記第１の画像データを前記送信手段にて送信してよいか否かを判断するために前記第１の属性値を表示させること
を特徴とする請求項１３に記載の画像読取装置である。
【００４２】
請求項２３に係わる発明は、前記演算手段は、前記画像信号を前記第１の処理条件に基づいて処理し、第１の画像データを得る画像処理手段と、該第１の画像データに基づいて第１の属性値を演算する属性演算手段とを有すること
を特徴とする請求項１３乃至２２のいずれかに記載の画像読取装置である。
【００４３】
請求項２４に係わる発明は、前記表示手段は、得られた属性値としきい値とを比較し、ネットワーク負荷に関する情報を表示すること
を特徴とする請求項１３乃至２３のいずれかに記載の画像読取装置である。
【００４４】
請求項２５に係わる発明は、前記表示手段は、前記属性値、前記処理条件および前記負荷に関する情報を関連付けて表示すること
を特徴とする請求項２４に記載の画像読取装置である。
【００４５】
請求項２６に係わる発明は、前記画像読み取り装置は操作パネルを有しており、
前記表示手段、および前記選択手段は、前記操作パネルに設けられていること
を特徴とする請求項１３乃至２５のいずれかに記載の画像読取装置である。
【００４６】
請求項２７に係わる発明は、前記処理条件設定手段は、前記操作パネルに設けられていること
を特徴とする請求項２６に記載の画像読取装置である。
【００４７】
請求項２８に係わる発明は、前記画像読み取り装置は外部のコンピュータと電気的に接続されており、
前記表示手段、および前記選択手段は、前記コンピュータに設けられていること
を特徴とする請求項１３乃至２５のいずれかに記載の画像読取装置である。
【００４８】
請求項２９に係わる発明は、前記処理条件設定手段は、前記コンピュータに設けられていること
を特徴とする請求項２８に記載の画像読取装置である。
【００４９】
請求項３０に係わる発明は、前記画像信号を処理する前記項目は、原稿読取条件に関するものであること
を特徴とする請求項１３乃至２９のいずれかに記載の画像読取装置である。
【００５０】
請求項３１に係わる発明は、前記画像信号を処理する前記項目は、解像度であること
を特徴とする請求項３０に記載の画像読取装置である。
【００５１】
請求項３２に係わる発明は、前記画像信号を処理する前記項目は、圧縮方式であること
を特徴とする請求項３０に記載の画像読取装置である。
【００５２】
請求項３３に係わる発明は、前記画像信号を処理する前記項目は、画質であること
を特徴とする請求項３０に記載の画像読取装置である。
【００５３】
請求項３４に係わる発明は、前記画像信号を処理する前記項目は、画像出力条件に関するものであること
を特徴とする請求項１３乃至２９のいずれかに記載の画像読取装置である。
【００５４】
請求項３５に係わる発明は、前記画像信号を処理する前記項目は、用紙サイズであること
を特徴とする請求項３４に記載の画像読取装置である。
【００５５】
請求項３６に係わる発明は、前記属性値は、データサイズに関するものであること
を特徴とする請求項１３乃至２９のいずれかに記載の画像読取装置である。
【発明の効果】
【００５６】
本発明に係わる画像読取装置によれば、原稿を読み取って得たデータの所定の属性に関する実測値と、読取条件を変えた場合の実測値や推測値もしくは出力条件に応じた推測値とを表示するので、読取条件等を選択するための判断材料がユーザに提供される。これにより、ユーザは表示された実測値や推測値を参考に、自己の希望と折り合いの付く読取条件や出力条件を選択することができる。たとえば、実測値や推測値がデータ容量である場合には、送信に適した条件のデータを選択することができる。さらに受信側のネットワーク環境がわかっている場合には、表示された実測値や推測値を参考にして、その環境にあった画像データをユーザ自身で選択することができる。
【００５７】
推測値を求めるものでは、原稿を再度読み取って実測値を求める場合に比べて判断材料をユーザに迅速に提供することができる。一方、実測を繰り返すものでは、正確な判断材料を提供することができる。
【００５８】
また、実測値や推測値とともに転送負荷に関する情報を表示するものでは、データサイズだけでは判断できないユーザに対しても、ネットワークへの負荷がどの程度のものかを分かり易く通知することができる。
【発明を実施するための最良の形態】
【００５９】
以下、図面に基づき本発明の実施の形態を説明する。
【００６０】
図１は、本発明に係わる画像読取装置１０の構成とその使用環境とを示している。画像読取装置１０は、原稿を読み取って対応する画像データを取得し、この画像データをファイル化し、これを電子メールに添付して送信したり、ＦＴＰ（File Transfer Protocol）で外部端末に送信したりする機能を備えている。また、原稿の読取条件として、解像度、画質、圧縮方式（ファイル形式）などを選択することができる。
【００６１】
画像読取装置１０は、読取手段１１と、演算手段１２と、表示・選択手段１３（操作パネル）と、送信手段１４とを有している。このほか、画像データを一時的に保存するための図示省略の記憶部などを備えている。
【００６２】
画像読取装置１０は、転送手段１５を通じて転送端末１６に接続される。転送手段１５は、ＬＡＮ（ローカル・エリア・ネットワーク）、電話線、光ケーブルなど、送信された画像データを伝送するネットワークや媒体である。転送端末１６は、クライアントＰＣや、ＦＴＰサーバーなど伝送された画像データを受け取る装置である。
【００６３】
読取手段１１は、原稿を読み取って対応する画像信号を出力する機能を果たす。読取手段１１は、たとえば、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像信号として出力される。
【００６４】
演算手段１２は、ＣＰＵ（中央処理装置）を主要部として構成されている。演算手段１２は、読取手段１１が出力した画像信号を、図示していない画像処理条件設定手段にて設定された画像処理条件（例えば、解像度や圧縮形式などの読取項目に関する条件や、出力画像サイズなどの出力項目に関する条件）に基づいた画像処理により得られた画像データを作成する機能を果たす。
【００６５】
また、作成された画像データについて、データの所定の属性（例えば、データサイズ）に関与する実測値を求めたり、画像処理条件（例えば、読取条件）を変えた場合の推測値を算出したりする機能を果たす。推測値は、読取項目に関する条件毎（例えば、解像度の項目につき、４００ｄｐｉ、２００ｄｐｉ毎）に重み係数を予め設定しておき、属性に関する実測値に重み係数を乗じることで算出される。
【００６６】
なお、推測値は画像処理により得られた画像データに基づいて算出してもよい。さらに演算手段１２は、画像処理条件設定手段にて設定された画像処理条件に基づいて得られた画像データを転送する際の転送負荷に関する情報、たとえばネットワークへの負荷に関する情報をユーザに分かり易く示す情報を決定する機能を果たす。
【００６７】
ここで、演算手段１２は、画像処理条件設定手段にて設定された画像処理条件に基づいて画像処理を行う画像処理手段と、画像処理手段により得られた画像データに基づいて、その属性値を演算する属性演算手段とを有し、処理を分担するように構成されてもよい。
【００６８】
表示・選択手段１３は、表面にタッチパネルを備えた液晶ディスプレイと各種の操作スイッチとから構成され、ユーザに各種の案内表示や状態表示を行なったり、ユーザから各種の操作を受け付けたりする機能を有する。詳細には表示・選択手段１３は、演算手段１２による属性値の演算結果に基づいて、読取条件／出力条件別の属性値（データサイズ）を表示したり、データサイズなどに応じた情報（転送負荷を表す情報）を表示したり、転送される画像データにつき、表示される画像処理条件の中から任意のものの選択を受け付けたりする。
【００６９】
ここで、表示・選択手段１３は、表示手段と選択手段とに分けて構成されてもよい。なお、生成された画像を画像読取装置１０に接続した外部ディスプレイ装置などに表示する構成としてもよい。本実施の形態においては、画像読取装置１０に表示・選択手段１３が設けられる例を述べたが、この例に限らず、画像読取装置１０に接続されるコンピュータに表示・選択手段１３が設けられるようになっていてもよい。また、画像処理条件設定手段と表示・選択手段１３とが兼用されるようになっていてもよい。
【００７０】
送信手段１４は、作成した画像データを電子メールやＦＴＰ、ＳＭＢ（Server Message Block）などで外部に送信する機能を果たす。なおＳＭＢは、ファイルサービスやプリントサービスを実現するためのネットワークプロトコルである。送信手段１４は、転送手段１５に代えて図示しないプリンタ部に、画像データを送信してもよい。また、上記の例によらず、読取手段１１および演算手段１２を有する画像読取装置１０と、この画像読取装置１０に接続され、表示・選択手段１３を有するコンピュータとを有する読取システムを構成してもよい。この場合、この読取システムが、送信手段１４を有し、この送信手段１４を用いることにより、読取システムの内外に画像データを送信することができる。
【００７１】
図２は、画像読取装置１０の概略動作を示している。ユーザが原稿をセットし、ジョブの種類や読取条件、送信条件を選択・設定した後に図示省略のスタートボタンを操作すると、この処理（メインルーチン）が実行される。ジョブの種類には、読み取った画像データを電子メールの添付ファイルにして送信する「Scan to E-mail」ジョブとその他のジョブとがある。その他のジョブには、たとえば、読み取った画像データをそのままコンピュータ装置に転送するジョブがある。
【００７２】
まず、ジョブの種類をチェックし（ステップＳ１０１）、「Scan to E-mail」ジョブが選択されているときは（ステップＳ１０１；Ｙ）、実測モードが選択されているか否かを調べる（ステップＳ１０２）。「Scan to E-mail」ジョブにおいてユーザは、実測モードと予測モードのいずれかを選択することができる。実測モードは、読取条件を変えて原稿を再度読み取る、もしくは、原稿を読み取って得た画像信号を保存しておき、この画像信号を再利用することで、それぞれの読取条件に対応する画像データの所定の属性（たとえば、データサイズ）の値を実測値として求める動作モードである。予測モードは、原稿を読み取って画像データ、および画像データに対応する所定の属性に係わる実測値を求めるとともに、この実測値、もしくは画像データに所定の演算を施すことで、読取条件を変えた場合の予測値を求める動作モードである。
【００７３】
実測モードが選択されているときは（ステップＳ１０２；Ｙ）、読取条件を変更しては原稿を読み取ることを複数回行なって複数種類の実測値を求める「Scan to E-mail 処理１」を実行する（ステップＳ１０３）。予測モードが選択されているときは（ステップＳ１０２；Ｎ）、原稿を読み取って実測値を求め、この実測値から予測値を求める「Scan
to E-mail 処理２」を実行する（ステップＳ１０４）。「Scan to E-mail」ジョブが選択されていないときは（ステップＳ１０１；Ｎ）、その他の処理を実行する（ステップＳ１０５）。
【００７４】
「Scan to E-mail 処理１」では、画像処理条件として読取項目に関して設定可能な複数の条件毎に、その属性値に関する実測値を求めるようになっている。すなわち、原稿を読み取って画像信号を得て、この画像信号と複数の画像処理条件とに基づいて複数の画像データを作成し、各々の画像データの所定の属性について実測値を求める。なお、ここで、任意の読取項目につき、画像読取装置１０にて設定可能なすべての条件に基づいて実測値を求めることが好ましい。画像処理条件としての読取項目には解像度、圧縮方式、画質があり、たとえば、解像度には、６００ｄｐｉ、４００ｄｐｉ、２００ｄｐｉといった処理条件が設定可能である。以下、読み取りの際の処理に関する項目である解像度、圧縮方式、画質のそれぞれについて説明する。
【００７５】
図３は、読取条件として解像度を変更する場合の「Scan to E-mail 処理１」の流れを示している。操作パネル１３上で選択できる解像度の値のそれぞれについて原稿を読み取って画像データを生成する（ステップＳ１２１）。たとえば、操作パネル１３から６００ｄｐｉ、４００ｄｐｉ、２００ｄｐｉの３種類の解像度を選択可能な場合には、解像度を６００ｄｐｉに設定した読取動作と、４００ｄｐｉに設定した読取動作と、２００ｄｐｉに設定した読取動作を実行する。なお、自動原稿送り装置で原稿を読み取る場合には、ユーザに原稿を原稿台へ再セットしてもらうことになる。このとき、再セットを促すメッセージを操作パネル１３に表示するとよい。
【００７６】
次に、解像度別に生成された画像データからそれぞれのデータサイズ（実測値）を検出し（ステップＳ１２２）、解像度別にデータサイズと、データサイズに応じた転送時の負荷予測を表した情報とを操作パネル１３に表示する（ステップＳ１２３）。
【００７７】
図４は、操作パネル１３に表示される解像度別表示画面１３０の一例を示している。解像度別表示画面１３０には、解像度と、データサイズ（実測値）と、そのデータサイズに応じた転送時の負荷（ネットワークへの負荷）予測を表した情報とが対応付けて表示されている。ここでは、予め定めた複数種類のしきい値とデータサイズ（得られた属性値）とを比較することで、画像データをクラス分けし、それぞれのクラスに対応付けて予め登録してあるメッセージをその画像データの転送時に生じるネットワークへの負荷に関する情報として表示するようになっている。
【００７８】
たとえば、データサイズが３Ｍバイト未満ならば「ネットワークへの負荷はあまりありません」というメッセージを表示する。３Ｍバイト以上６Ｍバイト未満ならば「ネットワークに負荷がかかる恐れがあります」というメッセージを表示する。６Ｍバイト以上なら「ネットワークに負荷がかかります」というメッセージを表示する。クラスの数、しきい値の値、メッセージの内容は適宜に設定変更することができる。
【００７９】
操作パネル１３に表示された解像度別表示画面１３０を判断材料としてユーザにいずれの解像度で送信するかを選択させる（図３、ステップＳ１２４）。たとえば、ユーザは、タッチパネル式の操作パネル１３に表示された解像度別表示画面１３０の中の該当箇所に触れることで解像度を選択することができる。図５は、図４において４００ｄｐｉが選択された場合の解像度別表示画面１３０ａの一例を示している。この画面では、選択された解像度に該当する横一行の表示欄１３１の色が変化している。たとえば、白黒反転表示したり、背景色や文字色を変化させたりすることができる。
【００８０】
画像読取装置１０は、ユーザから解像度の選択操作を受けると、この選択された解像度の画像データを電子メールに添付して送信する（図３、ステップＳ１２５）。
【００８１】
次に、圧縮方式を変える場合について説明する。図６は、読取条件として圧縮方式を変更する場合の「Scan to E-mail 処理１」の流れを示している。操作パネル１３上で選択できるすべての圧縮方式のそれぞれについて、原稿を読み取り、それを圧縮した画像データを生成する（ステップＳ１６１）。たとえば、操作パネル１３からＴＩＦＦ（Tagged
Image File Format）とＰＤＦ（Portable Document Format）の２種類の圧縮方式を選択可能な場合には、圧縮方式を変えて原稿を２回読み取る。なお、ＴＩＦＦやＰＤＦはファイル形式であるが、それぞれのファイル形式で使用される圧縮方式が異なるので、データサイズの観点からすれば実質的に圧縮方式を選択していることになる。
【００８２】
その後、圧縮方式別に生成された画像データからそれぞれのデータサイズ（実測値）を検出し（ステップＳ１６２）、圧縮方式別にデータサイズおよびデータサイズに応じた転送時の負荷予測を表した情報を操作パネル１３に表示する（ステップＳ１６３）。
【００８３】
図７は、操作パネル１３に表示される圧縮方式別表示画面１７０の一例を示している。圧縮方式別表示画面１７０には、読み取った画像データ毎に、圧縮方式と、データサイズ（実測値）と、そのデータサイズに応じた転送時の負荷（ネットワークへの負荷）予測を表した情報とが対応付けて表示されている。
【００８４】
操作パネル１３に表示された圧縮方式別表示画面１７０を判断材料としてユーザにいずれの圧縮方式で送信するかを選択させる（図６、ステップＳ１６４）。図８は、図７においてＴＩＦＦが選択された場合の圧縮方式別表示画面１７０ａの一例を示している。この画面では、選択された圧縮方式に該当する横一行の表示欄１７１の色が変化している。画像読取装置１０は、ユーザから圧縮方式の選択操作を受けると、この選択された圧縮方式の画像データを電子メールに添付して送信する（図６、ステップＳ１６５）。
【００８５】
なお、原稿を読み取って得た生データ（画像信号）をメモリに保存しておき、この生データから各圧縮方式で圧縮した画像データを生成することで、各圧縮方式におけるデータサイズの実測値を求めるように構成してもよい。この場合、原稿の読み取り動作が１回で済むので、作業時間が短縮される。また、自動原稿送り装置に原稿を再セットする手間がなく、操作性が向上する。
【００８６】
次に、画質を変える場合について説明する。図９は、読取条件として原稿の画質に応じた処理モードを変更する場合の「Scan to E-mail 処理１」の流れを示している。操作パネル１３上で選択できるすべての原稿画質に対応する処理モードのそれぞれについて、原稿を読み取って画像データを生成する（ステップＳ２０１）。たとえば、操作パネルから写真、文字、鉛筆の３種類の原稿画質に対応する処理モードを選択可能な場合には、画質を変えて原稿を３回読み取る。
【００８７】
その後、画質別に生成された画像データからそれぞれのデータサイズ（実測値）を検出し（ステップＳ２０２）、画質別にデータサイズおよびデータサイズに応じた転送時の負荷予測を表した情報を操作パネル１３に表示する（ステップＳ２０３）。
【００８８】
図１０は、操作パネル１３に表示される画質別表示画面２１０の一例を示している。画質別表示画面２１０には、画質の種類と、データサイズ（実測値）と、そのデータサイズに応じた転送時の負荷（ネットワークへの負荷）予測を表した情報とが対応付けて表示されている。
【００８９】
操作パネル１３に表示された画質別表示画面２１０を判断材料としてユーザにいずれの画質で送信するかを選択させる（図９、ステップＳ２０４）。図１１は、図１０において文字が選択された場合の画質別表示画面２１０ａの一例を示している。この画面では、選択された画質に該当する横一行の表示欄２１１の色が変化している。画像読取装置１０は、ユーザから画質の選択操作を受けると、この選択された画質で読み取った画像データを電子メールに添付して送信する（図９、ステップＳ２０５）。
【００９０】
次に、「Scan to E-mail 処理２」について説明する。「Scan to E-mail 処理２」では、読取手段１１から得られた画像信号を処理するに際して読取項目に関する条件を選択させる場合と、出力項目に関する条件を選択させる場合とがある。まず、読取条件を変化させる場合について説明する。
【００９１】
読取条件を選択させる場合は、原稿を読み取る際に選択された読取条件で原稿を１度読み取って画像データを生成し、この画像データの所定の属性（データサイズ）について実測値を検出する。他の読取条件に関しては、先に得た実測値に所定の演算を施して、推測値を得るようになっている。
【００９２】
読み取りの際の処理に関する項目には解像度、圧縮方式、画質があり、以下、それぞれについて説明する。
【００９３】
図１２は、読取条件として解像度を変更する場合の「Scan to E-mail 処理２」の流れを示している。また、この処理におけるデータの流れを図１に示してある。操作パネル１３から指定された解像度で原稿を読み取って画像データを生成する（ステップＳ２４１、図１のＰ１）。この画像データのデータサイズ（実測値）を検出し（ステップＳ２４２）、さらにこの実測値から他の解像度におけるデータサイズの推測値を演算で求める（ステップＳ２４３）。
【００９４】
たとえば、操作パネル１３から６００ｄｐｉ、４００ｄｐｉ、２００ｄｐｉの３種類の解像度を選択可能な場合で、実際の原稿の読み取りが４００ｄｐｉで行なわれた場合には、６００ｄｐｉと２００ｄｐｉにおけるデータサイズの推測値を演算で求める。推測値は、あらかじめ設定した重み係数を実測値に乗じて求めるようになっている。
【００９５】
図１３は、解像度別重み係数表２５０の一例を示している。この例では、６００ｄｐｉには重み係数「５」を、４００ｄｐｉには重み係数「３」を、２００ｄｐｉには重み係数「１」を設定してある。これらの値は、たとえば、種々のテストチャートについて解像度を変えて画像データを読み取り、それらのデータサイズの実測値から統計的に定められる。
【００９６】
推測値は、推測値＝（実測時のデータサイズ）÷（実測時の解像度の重み係数）×（推定する解像度の重み係数）として求められる。たとえば、原稿を読み取ったときの解像度が４００ｄｐｉでそのデータサイズの実測値が３Ｍバイトの場合、図１３の解像度別重み係数表２５０から、６００ｄｐｉの推測値＝３÷３×５＝５Ｍバイトと求まる。２００ｄｐｉの推測値＝３÷３×１＝１Ｍバイトになる。
【００９７】
次に、各解像度について、解像度と、その解像度における実測値または推測値のデータサイズと、そのデータサイズに応じた転送時の負荷予測を表した情報とを対応付けて操作パネル１３に表示する（ステップＳ２４４）。図１のＰ２は、実測値および推測値の表示指令を表わしている。
【００９８】
図１４は、操作パネル１３に表示される解像度別表示画面２６０の一例を示している。ここでは、原稿読取時に選択された解像度（実測値）に対応する表示欄２６１の色を他（推測値）と異なる色にしてある。たとえば、白黒反転表示したり、背景色や文字色を変化させたりすることができる。
【００９９】
その後、操作パネル１３に表示された解像度別表示画面２６０を判断材料としてユーザにいずれの解像度で送信するかを選択させる（図１２、ステップＳ２４５）。図１のＰ３は、演算手段１２への選択結果の通知である。
【０１００】
選択された解像度が読取時の解像度と異なる場合は（ステップＳ２４６；Ｎ）、変更された解像度で再度、原稿を読み取って画像データを作成し（ステップＳ２４７、図１のＰ４）、この画像データを電子メールに添付して送信する（ステップＳ２４８、図１のＰ５〜Ｐ７）。
【０１０１】
図１５は、図１４において読取時と異なる解像度が選択された場合の解像度別表示画面２６０ａの一例を示している。この画面では、最初の読取時の解像度（４００ｄｐｉ）に対応する表示欄に代えて、後に選択された解像度（６００ｄｐｉ）の表示欄２６２の色が変化している。
【０１０２】
選択された解像度が読取時の解像度と同じ場合は（図１２、ステップＳ２４６；Ｙ）、最初に読み取ったときの画像データを電子メールに添付して送信する（ステップＳ２４８）。
【０１０３】
図１６は、読取条件として圧縮方式を変更する場合の「Scan to E-mail  処理２」の流れを示している。操作パネル１３より指定された圧縮方式で原稿を読み取って画像データを生成する（ステップＳ３０１）。この画像データからデータサイズ（実測値）を検出し（ステップＳ３０２）、さらにこの実測値から他の圧縮方式におけるデータサイズの推測値を演算で求める（ステップＳ３０３）。たとえば、操作パネル１３からＴＩＦＦとＰＤＦの２種類の圧縮方式を選択可能な場合で、実際の原稿の読み取りがＴＩＦＦで行なわれた場合には、ＰＤＦにおけるデータサイズの推測値を演算で求める。推測値は、あらかじめ設定した重み係数を実測値に乗じて求めるようになっている。
【０１０４】
図１７は、圧縮方式別重み係数表３１０の一例を示している。ＴＩＦＦには重み係数「２」を、ＰＤＦには重み係数「１」を設定してある。これらの値は、たとえば、種々のテストチャートについて圧縮方式を変えて画像データを読み取り、それらのデータサイズの実測値から統計的に定められる。
【０１０５】
推測値は、推測値＝（実測時のデータサイズ）÷（実測時の圧縮方式の重み係数）×（推定する圧縮方式の重み係数）として求められる。たとえば、原稿を読み取ったときの圧縮方式がＴＩＦＦでそのデータサイズの実測値が５Ｍバイトの場合、図１７の圧縮方式別重み係数表３１０から、ＰＤＦの推測値＝５÷２×１＝２．５Ｍバイトになる。
【０１０６】
次に、各圧縮方式について、解像度と、その解像度における実測値または推測値のデータサイズと、そのデータサイズに応じた転送時の負荷予測を表した情報とを対応付けて操作パネル１３に表示する（ステップＳ３０４）。
【０１０７】
図１８は、操作パネル１３に表示される圧縮方式別表示画面３２０の一例を示している。ここでは、原稿読取時に選択された圧縮方式に対応する表示欄３２１の色を他と異なる色にしてある。たとえば、白黒反転表示したり、背景色や文字色を変化させたりすることができる。
【０１０８】
その後、操作パネル１３に表示された圧縮方式別表示画面３２０を判断材料としてユーザにいずれの圧縮方式で送信するかを選択させる（図１６、ステップＳ３０５）。選択された圧縮方式が読取時の圧縮方式と異なる場合は（ステップＳ３０６；Ｎ）、変更された圧縮方式で再度、原稿を読み取り、圧縮して画像データを作成し（ステップＳ３０７）、この画像データを電子メールに添付して送信する（ステップＳ３０８）。
【０１０９】
図１９は、図１８において読取時と異なる圧縮方式が選択された場合の圧縮方式別表示画面３２０ａの一例を示している。この画面では、最初の読取時の圧縮方式（ＴＩＦＦ）に対応する表示欄に代えて、後に選択された圧縮方式（ＰＤＦ）の表示欄３２２の色が変化している。
【０１１０】
選択された圧縮方式が読取時の圧縮方式と同じ場合は（図１６、ステップＳ３０６；Ｙ）、最初に読み取ったときの画像データを電子メールに添付して送信する（ステップＳ３０８）。
【０１１１】
なお、最初に原稿を読み取る際に生データ（画像信号）をメモリに保存しておき、圧縮方式が変更されたときこの生データから変更後の圧縮方式に対応する画像データを生成するように構成してもよい。この場合、圧縮方式を変更しても原稿の読み取り動作が最初の１回のみで済むので、作業時間が短縮される。また、自動原稿送り装置に原稿を再セットする手間がなく、操作性が向上する。
【０１１２】
図２０は、読取条件として画質を変更する場合の「Scan to E-mail 処理２」の流れを示している。操作パネル１３より指定された画質で原稿を読み取って画像データを生成する（ステップＳ３５１）。この画像データからデータサイズ（実測値）を検出し（ステップＳ３５２）、さらにこの実測値から他の画質におけるデータサイズの推測値を演算で求める（ステップＳ３５３）。たとえば、操作パネル１３から写真、文字、鉛筆の３種類の画質を選択可能な場合で、実際の原稿の読み取りが写真で行なわれた場合には、文字と鉛筆のそれぞれにおけるデータサイズの推測値を演算で求める。推測値は、あらかじめ設定した重み係数を実測値に乗じて求めるようになっている。
【０１１３】
次に、各画質について、解像度と、その解像度における実測値または推測値のデータサイズと、そのデータサイズに応じた転送時の負荷予測を表した情報とを対応付けて操作パネル１３に表示する（ステップＳ３５４）。
【０１１４】
図２１は、操作パネル１３に表示される画質別表示画面３６０の一例を示している。ここでは、原稿読取時に選択された画質に対応する表示欄３６１の色を他と異なる色にしてある。たとえば、白黒反転表示したり、背景色や文字色を変化させたりすることができる。
【０１１５】
その後、操作パネル１３に表示された画質別表示画面３６０を判断材料としてユーザにいずれの画質で送信するかを選択させる（図２０、ステップＳ３５５）。選択された画質が読取時の画質と異なる場合は（ステップＳ３５６；Ｎ）、変更された画質で再度、原稿を読み込ませて画像データを作成し（ステップＳ３５７）、この画像データを電子メールに添付して送信する（ステップＳ３５８）。
【０１１６】
図２２は、図２１において読取時と異なる画質が選択された場合の画質別表示画面３６０ａの一例を示している。この画面では、最初の読取時の画質（写真）に対応する表示欄に代えて、後に選択された画質（文字）の表示欄３６２の色が変化している。
【０１１７】
選択された画質が読取時の画質と同じ場合は（図２０、ステップＳ３５６；Ｙ）、最初に読み取ったときの画像データを電子メールに添付して送信する（ステップＳ３５８）。
【０１１８】
次に、出力条件を選択させる場合について説明する。出力条件を選択させる場合は、読み取った画像データからデータサイズの実測値を検出し、他の出力の際の処理に関する項目に関しては、先の実測値に演算を施して推測値を得るようになっている。出力条件には、たとえば、読み取った原稿を送信先で画像形成した上で、記録紙に出力させる際の出力サイズがある。かかる出力条件の指定は、相手先で出力される際の出力サイズを送信側で指定できる場合に有効である。
【０１１９】
図２３は、出力条件として送信先での出力サイズを変更する場合の「Scan to E-mail 処理２」の流れを示している。原稿を読み取り、操作パネル１３より指定された出力サイズに合った画像データを生成する（ステップＳ４０１）。この画像データからデータサイズ（実測値）を検出し（ステップＳ４０２）、さらにこの実測値から他の出力サイズにおけるデータサイズの推測値を演算で求める（ステップＳ４０３）。たとえば、操作パネル１３から出力サイズとして、Ａ３、Ｂ４、Ａ４、Ｂ５の４種類の出力サイズを選択可能な場合で、原稿の読み取り時の指定がＡ３の場合には、出力サイズがＡ３という条件については、得られた画像データに基づいてデータサイズ（実測値）を演算する。そして、出力サイズをＢ４、Ａ４、Ｂ５とした場合のデータサイズの推測値については、この実測値に基づいて演算で求める。推測値は、あらかじめ設定した重み係数を実測値に乗じて求めるようになっている。
【０１２０】
次に、各出力サイズについて、出力サイズと、その出力サイズにおける実測値または推測値のデータサイズと、そのデータサイズに応じた転送時の負荷予測を表した情報とを対応付けて操作パネル１３に表示する（ステップＳ４０４）。
【０１２１】
図２４は、操作パネル１３に表示される出力サイズ別表示画面４１０の一例を示している。ここでは、原稿読取時に選択された出力サイズに対応する表示欄４１１の色を他と異なる色にしてある。たとえば、白黒反転表示したり、背景色や文字色を変化させたりすることができる。
【０１２２】
その後、操作パネル１３に表示された出力サイズ別表示画面４１０を判断材料としてユーザにいずれの出力サイズで送信するかを選択させる（図２３、ステップＳ４０５）。選択された出力サイズで画像データを作成し、この画像データを電子メールに添付して送信する（ステップＳ４０６）。
【０１２３】
図２５は、図２４において読取時と異なる出力サイズが選択された場合の出力サイズ別表示画面４１０ａの一例を示している。この画面では、最初に指定された出力サイズ（Ａ３）に対応する表示欄に代えて、後に選択された出力サイズ（Ａ４）の表示欄４１２の色が変化している。
【０１２４】
次に、複数の読取条件を変更する場合について説明する。これまでの説明では、解像度、圧縮方式、画質などの画像信号を処理する項目につき、いずれか１つの項目の処理条件を変更する例を説明したが、複数種類の項目を選択し、各々の項目において処理条件を変更し、それぞれに対応するデータサイズや転送負荷に係わる情報を表示するように構成してもよい。たとえば、２種類の読取条件を変更する場合には、各読取条件のパラメータの組み合わせに対応するデータサイズをマトリクスで表示し、このマトリクスの中で１つの組み合わせをユーザに選択させ、その選択された組み合わせに対応する転送負荷情報を別途の表示領域に表示するように構成するとよい。
【０１２５】
図２６は、解像度と圧縮方式の２種類の読取条件を変更する場合のデータ表示画面５００の一例を示している。データ表示画面５００には、データサイズ表示領域５０１と負荷情報表示領域５０２とが設けてある。データサイズ表示領域５０１は、解像度を列方向のパラメータに、圧縮方式を行方向のパラメータにとり、ある解像度とある圧縮方式との組み合わせに対応するデータサイズをその行と列の交点に表示してある。選択された組み合わせのデータに対応する転送負荷の情報を表示する負荷情報表示領域５０２が設けてある。
【０１２６】
図２６に示す例では、データサイズ表示領域５０１の中で読取時に設定された解像度（６００ｄｐｉ）と圧縮方式（ＰＤＦ）の組み合わせに対応する箇所の色が変化し、他の箇所と異なる色で表示されている。また負荷情報表示領域５０２には、上記の組み合わせに対応するデータサイズが５Ｍバイトなので、「ネットワークに負荷がかかります。」というメッセージが表示されている。
【０１２７】
図２７は、図２６の状態から解像度が４００ｄｐｉで圧縮方式がＰＤＦの組み合わせに変更された場合のデータ表示画面５００ａの一例を示している。タッチ式の操作パネル１３でユーザの選択操作を受ける場合には、処理項目の各条件部分（解像度の値が表示された箇所および圧縮方式の種類が表示された箇所）を選択させてもよいし、データサイズの表示されている箇所を選択することにより、処理条件を選択するようにさせてもよい。
【０１２８】
選択されると、各項目の選択された条件およびデータサイズの該当箇所の色が変化する。また、選択された解像度と圧縮方式の組み合わせに対応するデータサイズに該当する転送負荷情報が負荷情報表示領域５０２に表示される。解像度４００ｄｐｉ圧縮方式ＰＤＦの組み合わせに対応するデータサイズは３Ｍバイトなので、「ネットワークに負荷がかかる恐れがあります」というメッセージが表示されている。
【０１２９】
なお、複数の読取条件を変更した場合の推測値は、以下のようにして求める。解像度と圧縮方式とを変更する場合には、推測値＝（実測時のデータサイズ）÷（実測時の解像度の重み係数）×（推定する解像度の重み係数）÷（実測時の圧縮方式の重み係数）×（推定する圧縮方式の重み係数）、となる。
【０１３０】
たとえば、図１３の解像度別重み係数表２５０と図１７の圧縮方式別重み係数表３１０を用いるものとし、原稿を読み取ったときの解像度が４００ｄｐｉかつ圧縮方式がＰＤＦでそのデータサイズの実測値が３Ｍバイトの場合、以下のように推測値が演算される。
【０１３１】
解像度６００ｄｐｉ、ＰＤＦの推測値＝３÷３×５÷１×１＝５Ｍバイトとなる。解像度２００ｄｐｉ、ＰＤＦの推測値＝３÷３×１÷１×１＝３Ｍバイトとなる。解像度６００ｄｐｉ、ＴＩＦＦの推測値＝３÷３×５÷１×２＝１０Ｍバイトとなる。解像度４００ｄｐｉ、ＴＩＦＦの推測値＝３÷３×３÷１×２＝６Ｍバイトとなる。解像度２００ｄｐｉ、ＴＩＦＦの推測値＝３÷３×１÷１×２＝２５Ｍバイトとなる。
【０１３２】
図２８は、読取条件が３種類ある場合のデータ表示画面５２０の一例を示している。３種類以上の場合には、マトリクス表示できないので、条件を選択する条件選択欄５２１と、選択された条件の組み合わせに対応するデータサイズを表示するデータサイズ欄５２２と、選択された条件に対応する転送負荷情報を表示する情報欄５２３とを設けてある。
【０１３３】
図２８は、解像度を６００ｄｐｉに、画質を写真に、圧縮方式をＴＩＦＦに選択して原稿を読み込んだ場合に表示されるデータ表示画面５２０を示しており、条件選択欄５２１の中で該当する箇所（６００ｄｐｉ、写真、ＴＩＦＦ）の色が変化している。
【０１３４】
図２９は、図２８の状態から解像度を４００ｄｐｉに、画質を鉛筆に、圧縮方式をＰＤＦに変更した場合のデータ表示画面５２０ａの一例を示している。ユーザはデータサイズ欄５２２の中で変更したい項目の値が表示されている箇所に触れることでその項目の値をその値に変更することができる。
【０１３５】
推測値を求める場合には、選択された組み合わせに対応する推測値を演算で求め、その値がデータサイズ欄５２２に表示される。実測値の場合は、予めすべての組み合わせについて原稿を読み取って実測値を求めるように構成してもよいが、組み合わせが変更されたとき、その組み合わせに対応する条件で原稿の再読み取りをその都度行なうように構成してもよい。もちろん、既に読み取り済みの条件が再選択された場合には、再読み取りの必要はない。条件の種類が増えると組み合わせの数が膨大になるので、すべてについて実測値を予め求めるよりも、条件が変更される毎に、その条件で原稿を再読み取りするとよい。
【０１３６】
データサイズ欄５２２には、解像度が４００ｄｐｉ、画質が鉛筆、圧縮方式がＰＤＦの条件によるデータサイズの推測値または実測値が表示される。また情報欄５２３にはデータサイズ欄５２２に表示されているデータサイズに対する転送負荷情報が表示される。
【０１３７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３８】
実施の形態では、重み係数を用いて実測値から推測値を求めるようにしたが、推測値の導出方法はこれに限定されるものではない。たとえば、実測値と推測値との関係を近似した関数を利用したり、実測値と推測値との対応関係を示すテーブルを用意し、このテーブルを参照して実測値から推測値を求めたりしてもよい。また、実測値からではなく、原稿を読み取って得た画像データに基づいて推測値を求めてもよい。
【０１３９】
実施の形態では、読取条件や出力条件を変更して操作パネル１３から選択可能なすべての条件について実測値や推測値を求めたが、任意の処理項目につき、選択可能な条件のすべてではなく、その内の複数個について属性値を求めるものであってもよい。たとえば、指定された読取条件や出力条件にて得られた画像データのデータサイズ（例えば、初回の読み取りにより得られた画像データのデータサイズ）よりも、処理条件を変化させることにより得られる画像データのデータサイズが小さくなる場合についてのみ、実測値や推測値を求めるように構成してもよい。
【０１４０】
また、１つだけ画像データを得て、属性値についても１つだけ求めた上で、処理条件と付加情報とを併せて表示させ、そのまま送信してよいのか、処理条件を変更させた上で送信するのかを、ユーザに確認した上で画像データを送信するようにしてもよい。
【０１４１】
また、原稿を最初に読み取ったときのデータサイズがネットワークに負荷がかかるとき、またはネットワークに負荷がかかる恐れがある場合にだけ、読取条件や出力条件を変更して実測値や推測値を求めて表示するように構成してもよい。どのような条件のときに条件を変更して実測値や推測値を求めるかを設定可能に構成するとよい。
【０１４２】
このほか、保存した生データから読取条件を変更した場合の実測値を求める方法は、圧縮方式を変更する場合に限らず、可能であれば他の条件に適用してもよい。
【図面の簡単な説明】
【０１４３】
【図１】本発明の実施の形態に係わる画像読取装置の構成とその使用環境とを示すブロック図である。
【図２】本発明の実施の形態に係わる画像読取装置の概略動作を示す流れ図である。
【図３】読取条件として解像度を変更する場合の「Scan to E-mail 処理１」を示す流れ図である。
【図４】本発明の実施の形態に係わる画像読取装置の操作パネルに表示される解像度別表示画面の一例を示す説明図である。
【図５】解像度変更後の解像度別表示画面の一例を示す説明図である。
【図６】読取条件として圧縮方式を変更する場合の「Scan to E-mail 処理１」を示す流れ図である。
【図７】本発明の実施の形態に係わる画像読取装置の操作パネルに表示される圧縮方式別表示画面の一例を示す説明図である。
【図８】圧縮方式変更後の圧縮方式別表示画面の一例を示す説明図である。
【図９】読取条件として画質を変更する場合の「Scan to E-mail 処理１」を示す流れ図である。
【図１０】本発明の実施の形態に係わる画像読取装置の操作パネルに表示される画質別表示画面の一例を示す説明図である。
【図１１】画質変更後の画質別表示画面の一例を示す説明図である。
【図１２】読取条件として解像度を変更する場合の「Scan to E-mail 処理２」を示す流れ図である。
【図１３】解像度別重み係数表の一例を示す説明図である。
【図１４】本発明の実施の形態に係わる画像読取装置の操作パネルに表示される解像度別表示画面の一例を示す説明図である。
【図１５】解像度変更後の解像度別表示画面の一例を示す説明図である。
【図１６】読取条件として圧縮方式を変更する場合の「Scan to E-mail 処理２」を示す流れ図である。
【図１７】圧縮方式別重み係数表の一例を示す説明図である。
【図１８】本発明の実施の形態に係わる画像読取装置の操作パネルに表示される圧縮方式別表示画面の一例を示す説明図である。
【図１９】圧縮方式変更後の圧縮方式別表示画面の一例を示す説明図である。
【図２０】読取条件として画質を変更する場合の「Scan to E-mail 処理２」を示す流れ図である。
【図２１】本発明の実施の形態に係わる画像読取装置の操作パネルに表示される画質別表示画面の一例を示す説明図である。
【図２２】画質変更後の画質別表示画面の一例を示す説明図である。
【図２３】出力条件として出力サイズを変更する場合の「Scan to E-mail 処理２」を示す流れ図である。
【図２４】本発明の実施の形態に係わる画像読取装置の操作パネルに表示される出力サイズ別表示画面の一例を示す説明図である。
【図２５】出力サイズ変更後の出力サイズ別表示画面の一例を示す説明図である。
【図２６】解像度と圧縮方式とを変更する場合のデータ表示画面の一例を示す説明図である。
【図２７】図２６に示す状態から解像度を４００ｄｐｉに変更した後のデータ表示画面を示す説明図である。
【図２８】解像度と画質と圧縮方式とを変更する場合のデータ表示画面の一例を示す説明図である。
【図２９】図２８に示す状態から解像度を４００ｄｐｉに、画質を鉛筆に、圧縮方式をＰＤＦに変更した後のデータ表示画面を示す説明図である。
【符号の説明】
【０１４４】
１１…読取手段
１２…演算手段
１３…表示・選択手段
１４…送信手段
１５…転送手段
１６…転送端末
１３０…解像度別表示画面
１３１…表示欄
１７０…圧縮方式別表示画面
１７１…表示欄
２１０…画質別表示画面
２１１…表示欄
２５０…解像度別重み係数表
２６０…解像度別表示画面
２６１…表示欄
２６２…表示欄
３１０…圧縮方式別重み係数表
３２０…圧縮方式別表示画面
３２１…表示欄
３２２…表示欄
３６０…画質別表示画面
３６１…表示欄
３６２…表示欄
４１０…出力サイズ別表示画面
４１１…表示欄
４１２…表示欄
５００…データ表示画面
５０１…データサイズ表示領域
５０２…負荷情報表示領域
５２０…データ表示画面
５２１…条件選択欄
５２２…データサイズ欄
５２３…情報欄
【図１】
2006054842.tif 000003
【図２】
2006054842.tif 000004
【図３】
2006054842.tif 000005
【図４】
2006054842.tif 000006
【図５】
2006054842.tif 000007
【図６】
2006054842.tif 000008
【図７】
2006054842.tif 000009
【図８】
2006054842.tif 000010
【図９】
2006054842.tif 000011
【図１０】
2006054842.tif 000012
【図１１】
2006054842.tif 000013
【図１２】
2006054842.tif 000014
【図１３】
2006054842.tif 000015
【図１４】
2006054842.tif 000016
【図１５】
2006054842.tif 000017
【図１６】
2006054842.tif 000018
【図１７】
2006054842.tif 000019
【図１８】
2006054842.tif 000020
【図１９】
2006054842.tif 000021
【図２０】
2006054842.tif 000022
【図２１】
2006054842.tif 000023
【図２２】
2006054842.tif 000024
【図２３】
2006054842.tif 000025
【図２４】
2006054842.tif 000026
【図２５】
2006054842.tif 000027
【図２６】
2006054842.tif 000028
【図２７】
2006054842.tif 000029
【図２８】
2006054842.tif 000030
【図２９】
2006054842.tif 000031